(57)【要約】【課題】ファイリングリングに確実かつ容易に取り付けることのできる収納カバー固定具を提供する【解決手段】  光ファイバ接続部を収納する収納カバー６を保持する固定台３１と、該固定台３１を光クロージャ本体２ａ内に所定間隔を隔てて配置された一対のファイリングリング７ａ、７ｂに着脱自在に固定する固定手段３２とを有する収納カバー固定具３０において、上記固定手段３２が、上記固定台３１に上記一対のファイリングリング７ａ、７ｂの軸方向に移動自在に設けられたフック部材３７ａ、３７ｂと、該フック部材３７ａ、３７ｂを上記ファイリングリング７ａ、７ｂに押し付ける弾発付勢手段３８とを備えたものである。【選択図】  図１
2005077586.tif 000002
【特許請求の範囲】
【請求項１】
光ファイバ接続部を収納する収納カバーを保持する固定台と、該固定台を光クロージャ本体内に所定間隔を隔てて配置された一対のファイリングリングに着脱自在に固定する固定手段とを有する収納カバー固定具において、上記固定手段が、上記固定台に上記一対のファイリングリングの軸方向に移動自在に設けられたフック部材と、該フック部材を上記ファイリングリングに押し付ける弾発付勢手段とを備えたことを特徴とする収納カバー固定具。
【請求項２】
上記フック部材は、上記ファイリングリングを受ける受溝と、該受溝内に設けられた滑り止めとを有する請求項１記載の収納カバー固定具。
【請求項３】
上記固定台が、樹脂で形成され上記収納カバーのベースプレートを載置するための載置板と、該載置板の裏面に設けられ載置板を補強するための補強骨とを備えて構成される請求項１又は２記載の収納カバー固定具。
【請求項４】
上記弾発付勢手段をスプリングで構成し、該スプリングの外側を伸縮性を有する被覆材で覆った請求項１〜３いずれかに記載の収納カバー固定具。
【発明の詳細な説明】
【技術分野】
【０００１】
本発明は、光ファイバ接続部を収納カバーのベースプレートとカバープレートとの間に挟んで収納する際、収納カバーを開いた状態に保持する収納カバー固定具に関するものである。
【背景技術】
【０００２】
図８に示すように、光ファイバ１の接続部（図示せず）を収容する地下用光クロージャ２は、光ファイバケーブル３を導入又は導出する一対の端面板４と、端面板４間に設けられたフレーム５と、フレーム５に設けられ後述する収納カバー６を綴じるための一対のファイリングリング７ａ、７ｂと、フレーム５に設けられ光ファイバケーブル３のテンションメンバ（図示せず）を固定するテンションメンバ固定部材８とを備えて構成されている。ファイリングリング７ａ、７ｂは、同軸上に離間して配置されている。
【０００３】
図９に示すように、収納カバー６は、可撓性を有する樹脂板を二つ折りに折り畳んで形成されるベースプレート９とカバープレート１０との間に光ファイバ接続部を挟んで収納するものである。収納カバー６の折れ線１１側の角部１２にはファイリングリング７ａ、７ｂを通すためのファイル穴１３ａ、１３ｂと、ファイリングリング７ａ、７ｂを収納カバー６の外縁からファイル穴１３ａ、１３ｂへ通すための切れ込み１４とが形成されている。
【０００４】
また、収納カバー６に光ファイバ接続部を収納する際、ベースプレート９からカバープレート１０を開いた状態に保持する収納カバー固定具としては、特許文献１記載のものが知られている。図１０に示すように、この収納カバー固定具１５は、光クロージャ２のファイリングリング７ａ、７ｂに固定手段１６を介して着脱自在に固定される金属製の固定台１７と、この固定台１７に設けられ収納カバー６のカバープレート１０をベースプレート９から開いた状態に保持する回転レバー１８とを備えて構成されている。固定手段１６は、固定台１７の両側後縁に凹溝状に形成されファイリングリング７ａ、７ｂを受けるためのリング受け１９と、固定台１７の両側部にスライド自在に設けられリング受け１９内のファイリングリング７ａ、７ｂをリング受け１９との間に挟んで固定するためのスライダ２０と、固定台１７の両側部に設けられスライダ２０をスライドさせるための操作レバー２１とを備えて構成されている。
【０００５】
また、図１１に示すように、特許文献２に記載の収納カバー固定具２２は、固定手段たる断面Ｃ字状のフック２３を有する。フック２３は弾性を有する樹脂にて形成されている。
【０００６】
【特許文献１】特開２００２−２３６２２０号公報
【特許文献２】特開２０００−１３１５３６号公報
【発明の開示】
【発明が解決しようとする課題】
【０００７】
ところで、特許文献１記載の収納カバー固定具１５は、スライダ２０の近傍に設けられた操作レバー２１を手動操作してスライダ２０とリング受け１９との間にファイリングリング７ａ、７ｂを挟むものであるため、ファイリングリング７ａ、７ｂに固定する場合、ファイリングリング７ａ、７ｂの近傍に位置される操作レバー２１を多数の収納カバー６を掻き分けて回動させなくてははならず、ファイリングリング７ａ、７ｂへの取り付けが困難であるという課題があった。また、特許文献２記載の収納カバー固定具２２は、ファイリングリング７ａ、７ｂへ押し付けるだけでファイリングリング７ａ、７ｂに固定できるものの、破損、変形等しやすく、確実性に欠けるという課題があった。
【０００８】
そこで、本発明の目的は、上記課題を解決し、ファイリングリングに確実かつ容易に取り付けることのできる収納カバー固定具を提供することにある。
【課題を解決するための手段】
【０００９】
上記課題を解決するために本発明は、光ファイバ接続部を収納する収納カバーを保持する固定台と、該固定台を光クロージャ本体内に所定間隔を隔てて配置された一対のファイリングリングに着脱自在に固定する固定手段とを有する収納カバー固定具において、上記固定手段が、上記固定台に上記一対のファイリングリングの軸方向に移動自在に設けられたフック部材と、該フック部材を上記ファイリングリングに押し付ける弾発付勢手段とを備えたものである。
【００１０】
そして、上記フック部材は、上記ファイリングリングを受ける受溝と、該受溝内に設けられた滑り止めとを有するとよい。
【００１１】
また、上記固定台は、樹脂で形成され上記収納カバーのベースプレートを載置するための載置板と、該載置板の裏面に設けられ載置板を補強するための補強骨とを備えて構成されるとよい。
【００１２】
そして、上記弾発付勢手段をスプリングで構成し、該スプリングの外側を伸縮性を有する被覆材で覆うとよい。
【発明の効果】
【００１３】
本発明によれば、ファイリングリングに収納カバー固定具を確実かつ容易に取り付けることができる。
【発明を実施するための最良の形態】
【００１４】
本発明の実施の形態を添付図面に基づいて詳述する。
【００１５】
図１は、収納カバー固定具の斜視図であり、図２は、ファイリングリングに固定した収納カバー固定具の斜視図であり、図３は収納カバー６を保持した収納カバー固定具の斜視図である。
【００１６】
図１、図２及び図３に示すように、収納カバー固定具３０は、光ファイバ接続部（図示せず）を収納する収納カバー６を保持する固定台３１と、固定台３１を光クロージャ本体２ａ内に所定間隔を隔てて配置された一対のファイリングリング７ａ、７ｂに着脱自在に固定する固定手段３２と、固定台３１に設けられ収納カバー６のカバープレート１０をベースプレート９から開いた状態に保持する回転レバー３３とを備えて構成されている。
【００１７】
固定台３１は、樹脂にて収納カバー６と略同形の矩形板状に形成されており、収納カバー６のベースプレート９を載置するための載置板３４と、載置板３４の裏面に設けられ載置板３４を補強するための補強骨３５と、載置板３４に設けられ収納カバー６を係止するための爪３６とを備えている。補強骨３５は、格子状に組まれており、載置板３４に作用する曲げ方向や捩り方向の力に抗するようになっている。爪３６は、載置板３４の縁部に固定されると共に載置板３４の表面に沿って延びており、収納カバー６の縁部を載置板３４との間に挟んで係止するようになっている。
【００１８】
固定手段３２は、固定台３１に一対のファイリングリング７ａ、７ｂの軸方向に移動自在に設けられたフック部材３７ａ、３７ｂと、フック部材３７ａ、３７ｂをそれぞれファイリングリング７ａ、７ｂに押し付ける弾発付勢手段３８とを備えて構成されている。具体的にはフック部材３７ａ、３７ｂは、ブロック状に形成されており、固定台３１の両側にガイド棒３９を介してスライド自在に設けられている。ガイド棒３９は、固定台３１の両側にそれぞれ一対平行に配置されており、フック部材３７ａ、３７ｂに摺動自在に挿通されると共に固定台３１に摺動自在に挿通されている。また、フック部材３７ａ、３７ｂは、ファイリングリング７ａ、７ｂを受ける受溝４０と、受溝４０内に設けられた滑り止め４１とを備えて構成されている。受溝４０は、断面Ｖ字状に形成されており、固定台３１の幅方向（長手方向）外側に開口するように形成されている。滑り止め４１は、ゴム等の樹脂からなる。弾発付勢手段３８は、バネからなりフック部材３７ａ、３７ｂを幅方向外側へ弾発付勢するようになっている。バネはコイルバネからなり、ガイド棒３９と同軸上に配置されている。
【００１９】
回転レバー３３は、固定台３１の両側にそれぞれ同軸回り回動可能に設けられている。回転レバー３３は、固定台３１に枢支され幅方向に延びる軸部（図示せず）と、軸部から屈曲され固定台３１の側縁に沿って配置可能なアーム部４２と、アーム部４２から屈曲されアーム部４２を固定台３１の側縁に沿わせたときに固定台３１の前縁に沿う支持杆部４３とからなる。支持杆部４３は、アーム部４２を載置板３４に対して起立させたとき載置板３４から離間する位置で載置板３４と平行に延びるようになっており、ベースプレート９から開いたカバープレート１０に係合してカバープレート１０を支持するようになっている。
【００２０】
次に本実施形態の作用を述べる。
【００２１】
光ファイバ接続部を光クロージャ２内に収容する場合、まず収納カバー固定具３０に収納カバー６を固定する。具体的には、回転レバー３３を固定台３１の縁に沿わせた状態とし、収納カバー６のファイル穴１３ａ、１３ｂをそれぞれフック部材３７ａ、３７ｂ上に重ね合わせるようにして、収納カバー６の両側をそれぞれの爪３６と固定台３１との間に挿入して固定する。
【００２２】
そして、一方のフック部材３７ａの受溝４０を一方のファイリングリング７ａに押し当てる。このとき、ファイリングリング７ａ、７ｂはフレーム５に溶接などにより強固に固定されているため動くことはない。フック部材３７ａは弾発付勢手段３８を縮退させてガイド棒３９に沿って固定台３１側へ移動される。また、フック部材３７ａが移動されることでファイリングリング７ａに収納カバー６の角部１２が当たり、収納カバー６の角部１２は変形される。このとき、収納カバー６の角部１２には切れ込み１４が形成されているため、収納カバー６は切れ込み１４を境に変形し、切れ込み１４が広がる。ファイリングリング７ａは広がった切れ込み１４からファイル穴１３ａ内に入る。ファイリングリング７ａ、７ｂに多数の収納カバー６が綴じられている場合であってもファイリングリング７ａ、７ｂの近傍に指を入れる必要はない。
【００２３】
この後、一方のファイリングリング７ａを中心として収納カバー固定具３０を他方のファイリングリング７ｂ側へ回動させる。一方のフック部材３７ａが固定台３１側へ移動されているため、他方のフック部材３７ｂが他方のファイリングリング７ｂに当たることはない。
【００２４】
他方のフック部材３７ｂを一対のファイリングリング７ａ、７ｂ間に位置させたら他方のフック部材３７ｂを他方のファイリングリング７ｂに近接させ、他方のフック部材３７ｂの受溝４０をファイリングリング７ｂに嵌め合わせる。フック部材３７ａ、３７ｂはそれぞれ弾発付勢手段３８によってファイリングリング７ａ、７ｂに押し付けられるため、ファイリングリング７ａ、７ｂ間で突っ張り、ファイリングリング７ａ、７ｂに収納カバー固定具３０が固定される。このとき、それぞれの受溝４０内には滑り止め４１が設けられているため、フック部材３７ａ、３７ｂがファイリングリング７ａ、７ｂに沿って滑ることはない。また、収納カバー６の角部１２はファイリングリング７ｂに当たって変形し、ファイリングリング７ｂはファイル穴１３ｂ内に入る。
【００２５】
このようにして収納カバー固定具３０がファイリングリング７ａ、７ｂに固定されたら、回転レバー３３を回動させてアーム部４２を載置板３４に対して起立させる。そして、収納カバー６のカバープレート１０をベースプレート９から開き、回転レバー３３の支持杆部４３に掛ける。支持杆部４３はカバープレート１０とベースプレート９との折れ線１１に対して平行に延びているため、カバープレート１０は安定して支持される。これにより、収納カバー６をファイリングリング７ａ、７ｂに開いた状態で固定することができ、収納カバー６に光ファイバ接続部を容易に収納することができる。
【００２６】
このように、固定手段３２を、固定台３１に一対のファイリングリング７ａ、７ｂの軸方向に移動自在に設けられたフック部材３７ａ、３７ｂと、フック部材３７ａ、３７ｂをファイリングリング７ａ、７ｂに押し付ける弾発付勢手段３８とを備えて構成したため、ファイリングリング７ａ、７ｂに収納カバー固定具３０を確実かつ容易に取り付けることができる。
【００２７】
そして、フック部材３７ａ、３７ｂを、ファイリングリング７ａ、７ｂを受ける受溝４０と、受溝４０内に設けられた滑り止め４１とを有するものとしたため、簡単な構造で容易にファイリングリング７ａ、７ｂに固定することができる。
【００２８】
また、固定台３１を、樹脂で形成され収納カバー６のベースプレート９を載置するための載置板３４と、載置板３４の裏面に設けられ載置板３４を補強するための補強骨３５とを備えて構成したため、収納カバー固定具３０を安価に製作でき、簡易で軽量かつ強固なものにできる。
【００２９】
そして、固定台３１に収納カバー６を固定したときに収納カバー６のファイル穴１３ａ、１３ｂとフック部材３７ａ、３７ｂとが重なるようにフック部材３７ａ、３７ｂを配置したため、ファイリングリング７ａ、７ｂにフック部材３７ａ、３７ｂを押し当てるだけでファイル穴１３ａ、１３ｂにファイリングリング７ａ、７ｂを通すことができ、ファイリングリング７ａ、７ｂに収納カバー６を容易に綴じることができる。
【００３０】
なお、収納カバー固定具３０に収納カバー６を固定したのち収納カバー固定具３０をファイリングリング７ａ、７ｂに固定するものとしたが、ファイリングリング７ａ、７ｂに収納カバー固定具３０を固定したのち、収納カバー固定具３０に収納カバー６を固定してもよい。
【００３１】
また、ガイド棒３９はフック部材３７ａ、３７ｂと固定台３１に摺動自在に挿通されるものとしたが、これに限るものではない。ガイド棒３９はフック部材３７ａ、３７ｂ又は固定台３１のいずれか一方に固定されていてもよい。
【００３２】
そして、図４に示すように、弾発付勢手段３８たるスプリングの外側（外周）を伸縮性を有する被覆材４４で覆うとよい。ファイリングリング７ａ、７ｂ（図２参照）に収納カバー固定具４５を固定するとき、スプリングが光ファイバ等を噛み込むのを防ぐことができ、作業性を向上できる。被覆材４４はゴム等の樹脂製のチューブで構成するとよく、十分肉薄に形成してスプリングの伸縮を邪魔しないようにするとよい。そして、被覆材４４の両端をそれぞれ固定台３１と、フック部材３７ａ、３７ｂとに固定するとよい。被覆材４４とフック部材３７ａ、３７ｂとの間に光ファイバ等を噛み込むのを防ぐことができる。ただし、被覆材４４とフック部材３７ａ、３７ｂとの間に隙間ができない程度に被覆材４４を長く形成するなど、被覆材４４とフック部材３７ａ、３７ｂとの間に隙間ができないように構成すれば必ずしも被覆材４４の両端を固定する必要はない。また、被覆材４４は、平行に延びる複数のスプリングを一括して覆うように形成してもよい。部品点数を減らすことができ、収納カバー固定具（図示せず）を安価に製作できる。そして、被覆部材４４は、軸方向に拡径と縮径とを繰り返して軸方向に波打つように形成してもよい。スプリングの伸縮動作に良好に追従して変形することができる。
【００３３】
また、フック部材３７ａ、３７ｂは、固定台３１の幅方向にスライドするものとしたが、これに限るものではない。例えば図５に示すように、フック部材５０ａ、５０ｂを固定台３１に回動自在に設け、回動することでファイリングリング７ａ、７ｂの軸方向に移動するようにフック部材５０ａ、５０ｂ構成してもよい。この場合、弾発付勢部材５１を弦巻バネとし、フック部材５０ａ、５０ｂを回動方向へ弾発付勢するように構成するとよく、固定台３１にフック部材５０ａ、５０ｂの回動を止めるためのストッパ５２を設けるとよい。
【００３４】
そして、図６に示すように、ファイリングリング７ａ、７ｂを案内するためのテーパ部６０をフック部材６１ａ、６１ｂの回動先端に設けてもよい。この場合、フック部材６１ａ、６１ｂのテーパ部６０がそれぞれファイリングリング７ａ、７ｂに同時に当たるようにフック部６１ａ、６１ｂ同士の間隔を設定するとよい。それぞれのテーパ部６０をファイリングリング７ａ、７ｂに当ててファイリングリング７ａ、７ｂ側に押し込むだけでそれぞれのファイリングリング７ａ、７ｂに受溝４０を嵌め合わせることができ、ファイリングリング７ａ、７ｂに収納カバー固定具６２を容易に固定することができる。
【００３５】
また、ファイリングリング７ａ、７ｂ間で突っ張るフック部３７、５０、６１について述べたが、これに限るものではない。例えば図７に示すように、ファイリングリング７ａ、７ｂの軸方向外側からファイリングリング７ａ、７ｂに押し付けられるフック部材７０ａ、７０ｂであってもよい。この場合、受溝（図示せず）は固定台３１の幅方向内側に開口するように形成するとよい。
【図面の簡単な説明】
【００３６】
【図１】本発明の最良の形態を示す収納カバー固定具の斜視図である。
【図２】ファイリングリングに固定した収納カバー固定具の斜視図である。
【図３】収納カバーを固定した収納カバー固定具の斜視図である。
【図４】他の最良の形態を示す収納カバー固定具の斜視図である。
【図５】他の最良の形態を示すファイリングリングに固定した収納カバー固定具の斜視図である。
【図６】他の最良の形態を示す収納カバー固定具の斜視図である。
【図７】他の最良の形態を示すファイリングリングに固定した収納カバー固定具の斜視図である。
【図８】光クロージャの概略説明図である。
【図９】収納カバーの展開図である。
【図１０】従来の収納カバー固定具の平面図である。
【図１１】従来の収納カバー固定具の平面図である。
【符号の説明】
【００３７】
２ａ  光クロージャ本体
６  収納カバー
７ａ  ファイリングリング
７ｂ  ファイリングリング
９  ベースプレート
３０  収納カバー固定具
３１  固定台
３２  固定手段
３４  載置板
３５  補強骨
３７ａ  フック部材
３７ｂ  フック部材
３８  弾発付勢手段
４０  受溝
４１  滑り止め
【図１】
2005077586.tif 000003
【図２】
2005077586.tif 000004
【図３】
2005077586.tif 000005
【図４】
2005077586.tif 000006
【図５】
2005077586.tif 000007
【図６】
2005077586.tif 000008
【図７】
2005077586.tif 000009
【図８】
2005077586.tif 000010
【図９】
2005077586.tif 000011
【図１０】
2005077586.tif 000012
【図１１】
2005077586.tif 000013